(57)【要約】【課題】血液排出口からの血液が迅速、確実に展開し、血液吸収性部材へ吸収され、しかも、血液吸収性部材に対する表面加工が不要な液体分析用器具及び血液分析用器具を得、安価な構成で血液の均一且つスムーズな展開を図る。【解決手段】一端側に液吸入口を有し、他端側に液吸入口から導入された液を排出する液排出口２３を有する細管と、細管の液排出口２３から細管の軸線方向に対して略垂直な方向に延設された液展開面２７とを備えた液体分析用器具１００であって、液排出口２３で液展開面２７より液吸入口側に突出するように細管内へ挿入された内部突起と、液排出口縁部に接して配置され液展開面２７から突出して形成された外部突起３１と、少なくとも内部突起を細管の略中央に支持する梁部３３とを具備した。【選択図】図１
2008128832.tif 000002
【特許請求の範囲】
【請求項１】
一端側に液吸入口を有し、他端側に前記液吸入口から導入された液を排出する液排出口を有する細管と、前記細管の液排出口から前記細管の軸線方向に対して略垂直な方向に延設された液展開面と、を備えた液体分析用器具であって、
前記液排出口で前記液展開面より前記液吸入口側に突出するように前記細管内へ挿入された内部突起と、
前記液排出口縁部に接して配置され前記液展開面から突出して形成された外部突起と、
前記内部突起を前記細管の略中央に支持する梁部と、を具備した液体分析用器具。
【請求項２】
請求項１記載の液体分析用器具であって、
前記外部突起が、前記細管の略中央に支持されるように前記梁部と一体に形成した突起を含む液体分析用器具。
【請求項３】
請求項１又は請求項２記載の液体分析用器具であって、
前記梁部が、前記液排出口で前記細管を跨いで形成された両端支持梁である液体分析用器具。
【請求項４】
請求項１又は請求項２記載の液体分析用器具であって、
前記梁部が、前記液排出口で前記細管を横断する方向に形成した片持梁である液体分析用器具。
【請求項５】
請求項１〜請求項４のいずれか１項記載の液体分析用器具であって、
前記外部突起の先端形状が半球状である液体分析用器具。
【請求項６】
請求項１〜請求項５のいずれか１項記載の液体分析用器具であって、
前記梁部が前記細管の内壁面から突設され、
前記外部突起は、前記梁部から前記液排出口に向けて立設した支柱を含むものである液体分析用器具。
【請求項７】
請求項６記載の液体分析用器具であって、
前記支柱が前記液排出口の前記液展開面より突出して前記外部突起を構成する液体分析用器具。
【請求項８】
請求項１〜請求項７のいずれか１項記載の液体分析用器具であって、
前記外部突起が、液展開面上で、前記液排出口を中心とした放射方向に略等角度間隔に配置されている液体分析用器具。
【請求項９】
請求項１〜請求項８のいずれか１項記載の液体分析用器具と、
前記液展開面に載置され血液中の成分と反応を示す反応試薬を含む血液吸収材料シートとを備え、
前記細管から供給される血液を前記血液吸収材料シートが吸収して展開する血液分析用器具。
【請求項１０】
請求項９記載の血液分析用器具であって、
その内部表面が、前記分析する血液に対して親水性を有する血液分析用器具。
【請求項１１】
請求項９又は請求項１０記載の血液分析用器具であって、
前記液展開面に載せる血液吸収材料シートの中央部が前記外部突起に当接し、且つ該血液吸収材料シートの周縁部が前記液展開面上に固定される血液分析用器具。
【請求項１２】
請求項９〜請求項１１のいずれか１項記載の血液分析用器具であって、
前記細管の内径が、０．３〜１．０ｍｍの範囲である血液分析用器具。
【請求項１３】
請求項９〜請求項１２のいずれか１項記載の血液分析用器具であって、
前記内部突起の突起高さが、０．０５〜１ｍｍの範囲である血液分析用器具。
【請求項１４】
請求項９〜請求項１３のいずれか１項記載の血液分析用器具であって、
前記外部突起の突起高さが０．０２〜０．５ｍｍの範囲である血液分析用器具。
【請求項１５】
請求項９〜請求項１４のいずれか１項記載の血液分析用器具であって、
前記内部突起の外径が０．２〜０．５ｍｍの範囲である血液分析用器具。
【請求項１６】
請求項９〜請求項１５のいずれか１項記載の血液分析用器具であって、
前記外部突起の外径が０．０２〜０．５ｍｍの範囲である血液分析用器具。
【請求項１７】
請求項９〜請求項１６のいずれか１項記載の血液分析用器具であって、
前記血液吸収材料シートの厚みが、０．０４〜０．２ｍｍの範囲である血液分析用器具。
【発明の詳細な説明】
【技術分野】
【０００１】
本発明は、血液等の液体中の特定成分を測定するための液体分析用器具及び血液分析用器具に関する。
【背景技術】
【０００２】
従来の血液分析用器具としては、例えば特許文献１に開示されるように、毛細管現象を利用して、血液中の成分と反応する試薬が担持された血液吸収性部材に血液を展開させて測定する血液分析用器具が知られている。ところが、この血液分析用器具では、血液吸収性部材での血液の展開が不十分のため、正確な測定ができないという問題があった。
【０００３】
この問題を解決するため、例えば特許文献２，特許文献３に開示される血液検査具が提案された。特許文献２に開示される血液検査具は、血液中の成分と反応を示す試薬が担持された血液吸収性部材と、一端に血液吸入口を有し他端に血液排出口を有し、排出口側端面が血液吸収部材に接触する細管とを備えた血液検査具であり、血液吸収性部材との接触端に凹溝を設け、血液の効率のよい展開を図っている。また、特許文献３に開示される血液検査具は、血液吸収性部材の細管の血液排出口との接触部に、細管方向に突出する凸部を設け、血液の効率のよい展開を図っている。
【０００４】
【特許文献１】特開平３−９９２６５号公報
【特許文献２】特許第３７８９５５７号公報
【特許文献３】特許第３６９９７９９号公報
【発明の開示】
【発明が解決しようとする課題】
【０００５】
しかしながら、特許文献２に開示される血液検査具は、血液吸収性部材との接触端に凹溝を設け、血液の効率のよい展開を図るが、血液吸収性部材に向かって接触するよう突出した円形状の接触端に、直径方向で上記の凹溝が形成され、その接触端の中心に血液排出口が開口されるため、細管の血液排出口から排出された血液が、血液排出口と凹溝のみでしか血液吸収性部材と接触できず、血液吸収性部材の吸収作用に抵抗が生じ、血液がスムーズに血液吸収性部材を展開しないことが危惧された。一方、特許文献３に開示される血液検査具は、血液吸収性部材の接触部に、細管方向に突出する凸部を設け、血液の効率のよい展開を図るが、この場合特に血液吸収性部材の表面を加工する工程が付与されることで、血液吸収性部材の製造コストの増大が予想された。また、本構成の付与により、不均一な血液の展開を生じさせないためには、血液吸収性部材の厳密な位置決め及びテンション維持が必要となり、これによっても製造コストの増大が予想された。
本発明は上記状況に鑑みてなされたもので、血液吸収性部材に対する表面加工が不要で、血液が血液排出口から迅速、確実に展開し、血液吸収性部材へ吸収される液体分析用器具及び血液分析用器具を提供し、もって、安価な構成で血液の均一且つスムーズな展開を図ることを目的とする。
【課題を解決するための手段】
【０００６】
本発明に係る上記目的は、下記構成により達成される。
（１）  一端側に液吸入口を有し、他端側に前記液吸入口から導入された液を排出する液排出口を有する細管と、前記細管の液排出口から前記細管の軸線方向に対して略垂直な方向に延設された液展開面と、を備えた液体分析用器具であって、
前記液排出口で前記液展開面より前記液吸入口側に突出するように前記細管内へ挿入された内部突起と、
前記液排出口縁部に接して配置され前記液展開面から突出して形成された外部突起と、
前記内部突起を前記細管の略中央に支持する梁部と、を具備した液体分析用器具。
【０００７】
この液体分析用器具によれば、毛管力で細管を液排出口へ向かって流れる液体が、先ず内部突起に接触することで、毛管力が増強されるので、液体が液排出口へ強い吸入力で到達可能となる。液排出口まで到達した液体が、液排出口縁部、及び梁部に設けられた外部突起に、表面張力によって液展開面より引き上げられ、液排出口から血液吸収材料シートへの液の展開を確実にすることができる。また、液排出口縁部に設けられた外部突起によって液排出口近傍の流路が大きく形成され、従来の凹溝に比べ排出抵抗が小さくなる。
【０００８】
（２）  （１）記載の液体分析用器具であって、
前記外部突起が、前記細管の略中央に支持されるように前記梁部と一体に形成した突起を含む液体分析用器具。
【０００９】
この液体分析用器具によれば、外部突起が梁部に形成されることで、細管の略中央部に外部突起が配置され、液排出口から排出される液体の液展開面における展開方向が安定した等方向になる。
【００１０】
（３）  （１）又は（２）記載の液体分析用器具であって、
前記梁部が、前記液排出口で前記細管を跨いで形成された両端支持梁である液体分析用器具。
【００１１】
この液体分析用器具によれば、梁部が液排出口を跨いで直径方向に配置され、その両端が液排出口縁部に支持されることで、梁部が両端支持梁となり、内部突起がこの両端支持梁に安定的に支持可能となる。
【００１２】
（４）  （１）又は（２）記載の液体分析用器具であって、
前記梁部が、前記液排出口で前記細管を横断する方向に形成した片持梁である液体分析用器具。
【００１３】
この液体分析用器具によれば、梁部の一端が液排出口縁部、若しくは液展開面に固定されるとともに、梁部の他端が細管の略中央に配置され、この他端に内部突起が支持されることで、梁部が両端支持梁である場合に比べ、液排出口の開口面積が広く確保可能となる。
【００１４】
（５）  （１）〜（４）のいずれか１項記載の液体分析用器具であって、
前記外部突起の先端形状が半球状である液体分析用器具。
【００１５】
この液体分析用器具によれば、液排出口から排出された液体が、外部突起によって支持される血液吸収材料シートと死角なく接触することができ、液体が確実に血液吸収材料シートへ展開するようになる。
【００１６】
（６）  （１）〜（５）のいずれか１項記載の液体分析用器具であって、
前記梁部が前記細管の内壁面から突設され、
前記外部突起は、前記梁部から前記液排出口に向けて立設した支柱を含むものである液体分析用器具。
【００１７】
この液体分析用器具によれば、梁部が液排出口より深い位置で細管内に配置可能となり、細管内で梁部を通過した液体が、外部突起を包囲した円環状に合流した後、液排出口から排出される。これにより、梁部が液排出口に配置される場合に比べ、液体の梁部による排出抵抗が緩和され、液体が放射方向により均等に展開可能となる。
【００１８】
（７）  （６）記載の液体分析用器具であって、
前記支柱が前記液排出口の前記液展開面より突出して前記外部突起を構成する液体分析用器具。
【００１９】
この液体分析用器具によれば、梁部が細管の深部に配置される構成であっても、外部突起が支柱によって液展開面より突出され、深部に梁部を設ける場合であっても、液排出口から上方への液体引き上げ効果が得られる。
【００２０】
（８）  （１）〜（７）のいずれか１項記載の液体分析用器具であって、
前記外部突起が、液展開面上で、前記液排出口を中心とした放射方向に略等角度間隔に配置されている液体分析用器具。
【００２１】
この液体分析用器具によれば、液排出口に到達した液体が、液排出口を中心として放射方向に略等角度間隔で配置された複数の外部突起に接することで、これら外部突起によって引き上げられ、均等な放射方向で液展開面へ展開される。
【００２２】
（９）  （１）〜（８）のいずれか１項記載の液体分析用器具と、
前記液展開面に載置され血液中の成分と反応を示す試薬を含む血液吸収材料シートとを備え、
前記細管から供給される血液を前記血液吸収材料シートが吸収して展開する血液分析用器具。
【００２３】
この血液分析用器具によれば、液体分析用器具側に内部突起、外部突起及び梁部が設けられるので、従来のように、血液吸収材料シートに凸部を設ける表面加工が不要となる。また、血液吸収材料シートに凸部を設けないので、不均一な血液の展開を生じさせないための血液吸収材料シートの厳密な位置決めや、テンション維持も不要となる。
【００２４】
（１０）  （９）記載の血液分析用器具であって、
その内部表面が、前記分析する血液に対して親水性を有する血液分析用器具。
【００２５】
この血液分析用器具によれば、内部表面に親水性が付与されることで、液の展開面の上に引き上げる効果と展開面での展開効果を増強させ、血液の排出と展開をスムーズにできる。
【００２６】
（１１）  （９）又は（１０）記載の血液分析用器具であって、
前記液展開面に載せる血液吸収材料シートの中央部が前記外部突起に当接し、且つ該血液吸収材料シートの周縁部が前記液展開面上に固定される血液分析用器具。
【００２７】
この血液分析用器具によれば、外部突起を表面張力によって這い上がった血液が、外部突起の頂部に接触している血液吸収材料シートに接し、続いて毛管現象によって血液吸収材料シートへと吸い込まれて行くことにより、引き上げられた血液がシートへ確実に展開される。
【００２８】
（１２）  （９）〜（１１）のいずれか１項記載の血液分析用器具であって、
前記細管の内径が、０．３〜１．０ｍｍの範囲である血液分析用器具。
【００２９】
この血液分析用器具によれば、細管の内径が０．３ｍｍ以下の場合の血液の流動抵抗の増大が回避されるとともに、細管の内径が１．０ｍｍ以上となった場合の毛管現象による血液吸入力の低下が回避される。
【００３０】
（１３）  （９）〜（１２）のいずれか１項記載の血液分析用器具であって、
前記内部突起の突起高さが、０．０５〜１ｍｍの範囲である血液分析用器具。
【００３１】
この血液分析用器具によれば、内部突起の突起高さが０．０５ｍｍ以下の場合の血液引き上げ効果の減退が回避されるとともに、内部突起の突起高さが１ｍｍ以上となった場合の細管断面積の減少による液流抵抗の増大が回避される。
【００３２】
（１４）  （９）〜（１３）のいずれか１項記載の血液分析用器具であって、
前記外部突起の突起高さが０．０２〜０．５ｍｍの範囲である血液分析用器具。
【００３３】
この血液分析用器具によれば、外部突起の突起高さが０．０２ｍｍ以下の場合の血液引き上げ効果の減退が回避されるとともに、外部突起の突起高さが０．５ｍｍ以上となった場合の液展開面と血液吸収材料シートとの間隙増大による血液展開性の低下が回避される。
【００３４】
（１５）  （９）〜（１４）のいずれか１項記載の血液分析用器具であって、
前記内部突起の外径が０．２〜０．５ｍｍの範囲である血液分析用器具。
【００３５】
この血液分析用器具によれば、内部突起の外径が０．２ｍｍ以下の場合の血液引き上げ効果の減退が回避されるとともに、内部突起の外径が０．５ｍｍ以上となった場合の細管断面積の減少による液流抵抗の増大が回避される。
【００３６】
（１６）  （９）〜（１５）のいずれか１項記載の血液分析用器具であって、
前記外部突起の外径が０．０２〜０．５ｍｍの範囲である血液分析用器具。
【００３７】
この血液分析用器具によれば、外部突起の外径が０．０２ｍｍ以下の場合の血液引き上げ効果の減退が回避されるとともに、外部突起の外径が０．５ｍｍ以上となった場合の液排出口縁部における血液流路断面積（隣接外部突起同士と、液展開面及び血液吸収材料シートとに囲まれる血液流路断面積）の減少による液流抵抗の増大が回避される。
【００３８】
（１７）  （９）〜（１６）のいずれか１項記載の血液分析用器具であって、
前記血液吸収材料シートの厚みが、０．０４〜０．２ｍｍの範囲である血液分析用器具。
【００３９】
この血液分析用器具によれば、血液吸収材料シートの厚みが０．０４ｍｍ以下の場合の測定困難な呈色が回避されるとともに、血液吸収材料シートの厚みが０．２ｍｍ以上となった場合の血液吸収容積の過剰な増大（すなわち、血液の不足）による不均一な血液展開が回避される。
【発明の効果】
【００４０】
本発明に係る液体分析用器具によれば、細管内へ挿入された内部突起と、液排出口縁部に接して液展開面に形成された外部突起と、内部突起を細管の略中央に支持する梁部とを具備したので、毛管力で細管を液排出口へ向かって流れる液体が、先ず内部突起に接触することで、毛管力が増強されるので、液体が液排出口へ強い吸入力で到達可能となる。液排出口まで到達した液体が、液排出口縁部、及び梁部に設けられた外部突起に、表面張力によって液展開面より引き上げられ、液排出口からの液の展開を確実にすることができる。また、液排出口縁部に設けられた外部突起によって液排出口近傍の流路が大きく形成され、従来の凹溝に比べ排出抵抗が小さくなる。この結果、液体を液展開面に均一且つスムーズに展開できる。
【００４１】
本発明に係る血液分析用器具によれば、上記の液体分析用器具と、液展開面に載置された血液吸収材料シートとを備え、細管から供給される血液を血液吸収材料シートに吸収して展開するので、内部突起、外部突起及び梁部を設けることで、血液吸収材料シートに表面加工を施す必要が無く、加工コストや、不均一な血液の展開を生じさせないための血液吸収材料シートの厳密な位置決め及びテンション維持を不要にできる。この結果、製造コストの増大を防止し、安価な構成で血液を血液吸収材料シートに均一且つスムーズに展開できる。
【発明を実施するための最良の形態】
【００４２】
以下、本発明に係る液体分析用器具及び血液分析用器具の好適な実施の形態について、図面を参照して詳細に説明する。
図１は本発明に係る血液分析用器具のハウジングの斜視図、図２は図１に示すハウジングにおける液展開面の拡大平面視を（ａ）、そのＡ−Ａ断面視を（ｂ）に表した要部構成図、図３は液展開面を含む図１に示すハウジングの平面図、図４は図３のＢ−Ｂ矢視を（ａ）、Ｃ−Ｃ矢視を（ｂ）に表した断面図である。
本実施の形態による液体分析用器具１００は、合成樹脂材により一体成形されるハウジング１１を主要部として有する。液体分析用器具１００は、ハウジング１１に、後述の血液吸収材料シート５０（図５参照）を装着することにより、血液分析用器具２００（図５参照）として好適に用いられる。血液分析用器具２００は、血液吸収材料シート５０に血液を吸収拡散させ、一定時間経過後の呈色を光学測定器等で測定することにより、血液中の特定成分を測定可能する。
【００４３】
先ず、液体分析用器具１００のハウジング１１について説明する。ハウジング１１は、円板状の底部１３の外周に起立周壁１５を連設したカップ状の装着部１７と、底部１３の下面に同軸に垂設された先細テーパ軸状の吸入先端部１９とに大別される。先細テーパ軸の一端側である吸入先端部１９には液吸入口２１（図４参照）が開口され、他端側である底部１３の中央部には液吸入口２１から導入された液を排出する液排出口２３が開口される。これら液吸入口２１と液排出口２３とは、吸入先端部１９から底部１３に向かって貫通する直線状で且つ同一断面形状の細管２５によって連通される。底部１３には、液排出口２３から細管２５の軸線方向に対して略垂直な方向に液展開面２７が延設される。
【００４４】
ハウジング１１は、液排出口２３で液展開面２７より液吸入口２１側に突出するように細管２５内へ挿入された図２（ｂ）に示す内部突起２９と、液排出口縁部２３ａに接して配置され液展開面２７から突出して形成された外部突起３１と、内部突起２９を細管２５の略中央に支持する梁部３３とを備える。
【００４５】
梁部３３は、液排出口２３で細管２５を跨いで両端支持梁として形成されている。このように、梁部３３が液排出口２３を跨いで直径方向に配置され、その両端が液排出口縁部２３ａに支持されることで、梁部３３が両端支持梁となり、内部突起２９がこの両端支持梁に安定的に支持されるようになっている。
【００４６】
図２（ｂ）に示すように、内部突起２９は、先端形状が半球状に形成される。内部突起２９が半球状となることで、先ず、内部突起２９の突出先端２９ａに接触した液体は、全周方向で均等に突出基端２９ｂに向かって引き上げられ、液排出口２３を中心とした均等な放射方向への液の展開が可能となる。
【００４７】
外部突起３１は、液展開面２７上で、液排出口２３を中心とした放射方向に略等角度間隔に配置されている。本実施の形態では、４つの外部突起３１が液排出口２３の外側に配設されている。これら外部突起３１は、図２（ａ）に示すように、突出基端３１ｂの一部分が、液排出口縁部２３ａに接している。これにより、液排出口２３に到達した液体が、液排出口２３を中心として放射方向に略等角度間隔で配置された複数の外部突起３１に接することで、これら外部突起３１によって引き上げられ、図３に示すように、均等な放射方向ＦＬ１，ＦＬ２，ＦＬ３，ＦＬ４で液展開面２７へ展開されるようになっている。
【００４８】
また、外部突起３１は、図２に示すように、上記した梁部３３の上面にも設けられている。この外部突起３１は、細管２５の略中央に支持されるように、梁部３３に一体に形成されている。このように、外部突起３１が梁部３３に形成されることで、細管２５の略中央部に外部突起３１が配置可能となり、液排出口２３から排出される液体の液展開面２７における展開方向が安定した等方向ＦＬ１，ＦＬ２，ＦＬ３，ＦＬ４になる。
【００４９】
これら外部突起３１も、先端形状が半球状で形成されている。外部突起３１の突出先端３１ａが半球状で形成されることにより、液排出口２３から排出された液体が、外部突起３１の突出基端３１ｂに接触すると、突起表面を伝って突出先端３１ａに引き上げられる。なお、本実施の形態では、内部突起２９及び外部突起３１が半球状である場合を例に説明したが、内部突起２９及び外部突起３１は、この他、円柱、円錐、円錐台、角柱等で形成してもよい。
【００５０】
底部１３には、図４に示すように、液展開面２７の外側に円環状の凹溝３５が同心円状に形成されている。さらにその外側には血液吸収材料シート５０を固定するための凹溝状の固定部３７が同心円状に形成されている。
【００５１】
上記した液体分析用器具１００では、細管２５を液排出口２３へ向かって流れる液体が、先ず内部突起２９に接触することで、毛管力が増強され、液体が液排出口２３へ強い吸入力で到達可能となる。さらに、液排出口２３に到達した液体が、液排出口縁部２３ａ、及び梁部３３に設けられた外部突起３１に、表面張力によって液展開面以上に引き上げられ、液排出口２３からの液の展開が確実にできるようになっている。また、液排出口縁部２３ａに設けられた外部突起３１によって液排出口２３近傍の流路が大きく形成され、従来の凹溝に比べ排出抵抗が小さくなる。
【００５２】
図５は血液分析用器具の分解斜視図、図６は図５に示した血液分析用器具の組立断面図である。
上記のように液体分析用器具１００は、血液吸収材料シート５０を装着することで血液分析用器具２００として好適に用いることができる。ハウジング１１は、底部１３に血液吸収材料シート５０を挿入し、上方から固定用ワッシャー４１を圧入することで、血液吸収材料シート５０をハウジング１１の適正な位置に固定保持することが可能となる。本実施の形態では固定用ワッシャー４１での固定構造を示したが、血液吸収材料シート５０は接着剤や、超音波をはじめとする溶着手段を用いて固定しても良い。
【００５３】
血液分析用器具２００は、液展開面２７に載置され血液中の成分と反応を示す血液吸収材料シート５０を備えることで、細管２５から供給される血液を血液吸収材料シート５０で吸収展開する。血液分析用器具２００では、ハウジング１１側に内部突起２９、外部突起３１及び梁部３３が設けられるので、従来のように、血液吸収材料シート５０に凸部を設ける表面加工が不要となる。また、血液吸収材料シート５０に凸部を設けないので、不均一な血液の展開を生じさせないための血液吸収材料シート５０の厳密な位置決めや、テンション維持も不要となる。
【００５４】
液体分析用器具１００を血液分析用器具２００として用いる場合、分析用器具の内部表面（血液と接触可能となる内側の表面）が分析する血液に対して親水性を有することが好ましい。このように、内部表面に親水性が付与されることで、液の展開面の上に引き上げる効果と展開面での展開効果を増強させ、血液の排出と展開をスムーズにできる。
【００５５】
ハウジング１１は所定の剛性を有する剛性材料で構成される。材料としては、例えばアクリル樹脂、ポリスチレン、ポリプロピレン、ポリエチレン、硬質ポリ塩化ビニル、ポリカーボネート、ＡＢＳ樹脂、ポリエステル、ポリフェニレンサルファイド（ＰＰＳ）等があげられるが、血液を吸入、展開するためアクリル樹脂等の親水性の高い材料、又は親水化された材料が好ましい。親水化は、プラズマ処理、グロー放電、コロナ放電、紫外線照射等の物理活性化処理の他、界面活性剤、水溶性シリコン、ヒドロキシプロピルセルロース、ポリエチレングリコール、ポリプロピレングリコール等の塗布等のような化学的処理により行うことができる。
【００５６】
血液吸収材料シート５０は、液展開面２７に載せることにより、中央部が外部突起３１に当接し、且つ血液吸収材料シート５０の周縁部が固定部３７に固定される。これにより、外部突起３１を表面張力によって這い上がった血液が、外部突起３１の頂部に接触している血液吸収材料シート５０に接し、毛管力によって血液吸収材料シート５０へと吸い込まれ、続いて、引き上げられた血液が血液吸収材料シート５０―液展開面２７間の毛管力で確実に展開される。外部突起３１の形成数は、好ましくは２〜２０個、より好ましくは４〜８個である。また、外部突起３１は、これによって支持される血液吸収材料シート５０と死角なく接触するので、血液が確実に血液吸収材料シート５０へ展開される。
【００５７】
血液分析用器具２００は、液体として血液が用いられる場合、血液の粘性等の物性値から細管２５、内部突起２９、外部突起３１及び血液吸収材料シート５０の諸寸法が下記の具体的な値となることで、血液のよりスムーズな吸入や展開が補償される。
すなわち、細管２５の内径は、０．３〜１．０ｍｍの範囲であることが好ましい。これにより、細管２５の内径が０．３ｍｍ以下の場合の血液の流動抵抗の増大が回避されるとともに、細管２５の内径が１．０ｍｍ以上となった場合の毛管現象による血液吸入力の低下が回避される。
【００５８】
内部突起２９の突起高さは、０．０５〜１ｍｍの範囲であることが好ましい。これにより、内部突起２９の突起高さが０．０５ｍｍ以下の場合の血液引き上げ効果の減退が回避されるとともに、内部突起２９の突起高さが１ｍｍ以上となった場合の細管断面積の減少による液流抵抗の増大が回避される。
【００５９】
外部突起３１の突起高さは、０．０２〜０．５ｍｍの範囲であることが好ましい。これにより、外部突起３１の突起高さが０．０２ｍｍ以下の場合の血液引き上げ効果の減退が回避されるとともに、外部突起３１の突起高さが０．５ｍｍ以上となった場合の液展開面２７と血液吸収材料シート５０との間隙増大による血液展開性の低下が回避される。
【００６０】
内部突起２９の外径は、０．２〜０．５ｍｍの範囲であることが好ましい。これにより、内部突起２９の外径が０．２ｍｍ以下の場合の血液引き上げ効果の減退が回避されるとともに、内部突起２９の外径が０．５ｍｍ以上となった場合の細管断面積の減少による液流抵抗の増大が回避される。
【００６１】
外部突起３１の外径は、０．０２〜０．５ｍｍの範囲であることが好ましい。これにより、外部突起３１の外径が０．０２ｍｍ以下の場合の血液引き上げ効果の減退が回避されるとともに、外部突起３１の外径が０．５ｍｍ以上となった場合の液排出口縁部２３ａにおける血液流路断面積（隣接外部突起３１同士と、液展開面２７及び血液吸収材料シート５０とに囲まれる血液流路断面積）の減少による液流抵抗の増大が回避される。
【００６２】
血液吸収材料シート５０の厚みは、０．０４〜０．２ｍｍの範囲であることが好ましい。これにより、血液吸収材料シート５０の厚みが０．０４ｍｍ以下の場合の測定困難な呈色が回避されるとともに、血液吸収材料シート５０の厚みが０．２ｍｍ以上となった場合の血液吸収容積の過剰な増大（すなわち、血液の不足）による不均一な血液展開が回避される。
【００６３】
次に、上記の構成を有する血液分析用器具２００の作用を説明する。
図７は吸い上げられた血液が展開されるまでの過程を（ａ）〜（ｅ）に表した作用説明図である。
血液分析用器具２００では、吸入先端部１９の液吸入口２１に指等の血液を押し付けることにより、図７（ａ）に示すように、血液４５がハウジング１１の細管２５を毛管力により上昇する。細管２５を上昇した血液４５は、図７（ｂ）に示すように、液排出口２３に設けた梁部３３の下方にある内部突起２９にメニスカスの発生によって架橋を生じ液位が上昇する。さらに、液排出口２３の出口から上方に突出した外部突起３１の表面を伝って、図７（ｃ），（ｄ）に示すように、毛管力により液位が上昇し、血液吸収材料シート５０に達する。つまり、血液４５はハウジング１１に設けた構造物により毛管力を消失すること無く、血液吸収材料シート５０へ達することが可能となる。
【００６４】
液展開面２７へ達した血液４５は次に、図７（ｅ）に示すように、血液吸収材料シート５０と液展開面２７の間に設けられた隙間４７内を毛管力で水平方向へ展開する。血液４５は、液展開面２７の面積の制御により所望の面積まで展開することが可能となる。余剰血液４５は、液展開面２７の外周に設けられた凹溝３５で毛管力を失い周囲への展開が停止される。これにより、外周部に設置する検出装置（図示なし）と血液４５との接触を防止することが可能となる。なお、液展開面２７と血液吸収材料シート５０の隙間４７は外部突起３１の高さを変えることで任意に調整できる。
【００６５】
したがって、上記実施の形態による液体分析用器具１００によれば、細管２５内へ挿入された内部突起２９と、液排出口縁部２３ａに接して液展開面２７に形成された外部突起３１と、内部突起２９を細管２５の略中央に支持する梁部３３とを具備したので、細管２５を液排出口２３へ向かって流れる液体が、先ず内部突起２９に接触することで、毛管力が増強させ、液位を上昇させる。
【００６６】
また、液排出口縁部２３ａに設けられた外部突起３１によって液排出口２３近傍の流路が大きく形成されるので、従来の凹溝に比べ排出抵抗を小さくできる。さらに、液排出口２３から排出された液体が、液排出口縁部２３ａ、及び梁部３３に設けられた外部突起３１に、表面張力によって引き上げられるので、液排出口２３からの液展開を確実にすることができる。この結果、液体を液展開面２７に均一且つスムーズに展開できる。
【００６７】
また、上記の血液分析用器具２００によれば、液体分析用器具１００と、液展開面２７に載置された血液吸収材料シート５０とを備え、細管２５から供給される血液４５を血液吸収材料シート５０に吸収して展開するので、内部突起２９、外部突起３１及び梁部３３を設けることで、血液吸収材料シート５０に表面加工を施す必要が無く、加工コストや、不均一な血液４５の展開を生じさせないための血液吸収材料シート５０の厳密な位置決め及びテンション維持を不要にできる。この結果、製造コストの増大を防止し、安価な構成で血液４５を血液吸収材料シート５０に均一且つスムーズに展開できる。
【００６８】
次に、本発明に係る血液分析用器具の第２の実施の形態について説明する。
図８は片持梁に内部突起が支持される第２の実施の形態における液展開面の拡大斜視を（ａ）、そのＤ−Ｄ矢視を（ｂ）に表した要部構成図である。なお、以下の各実施の形態において、図１〜図７に示した部材と同一の部材又は部位には同一の符号を付し重複する説明は省略するものとする。
本実施の形態による液体分析用器具は、梁部３３Ａが、液排出口２３で細管２５を横断する方向に形成した片持梁となる。
【００６９】
この実施の形態による血液分析用器具によれば、梁部３３Ａの一端３３ａが液排出口縁部２３ａに接して、液展開面２７に固定されるとともに、梁部３３Ａの他端３３ｂが細管２５の略中央に配置され、この他端３３ｂに内部突起２９が支持される。本実施の形態では、一つの外部突起３１から梁部３３Ａが延出されている。これにより、梁部３３Ａが両端支持梁である場合に比べ、液排出口２３の開口面積が広く確保可能となり、液展開面２７への液供給速度を向上できる。
【００７０】
次に、本発明に係る血液分析用器具の第３の実施の形態について説明する。
図９は梁部が細管の内壁面に突設される第３の実施の形態における液展開面の拡大斜視を（ａ）、そのＥ−Ｅ矢視を（ｂ）に表した要部構成図である。
本実施の形態による液体分析用器具は、梁部３３Ｂが細管２５の内壁面４９から突設され、外部突起３１は、梁部３３Ｂから液排出口２３に向けて立設した支柱５１を含むものとなっている。
【００７１】
この実施の形態によれば、梁部３３Ｂが液排出口２３より深い位置で細管２５内に配置され、細管２５内で梁部３３Ｂを通過した液体が、外部突起３１を包囲した円環状に合流した後、液排出口２３から排出される。これにより、梁部３３が液排出口２３近傍に配置される上記の場合に比べ、液体の梁部３３Ｂによる排出抵抗が緩和され、液体が放射方向により均等に展開可能となる。
【００７２】
また、梁部３３Ｂが細管２５の深部に配置される構成であっても、支柱５１が液排出口２３の液展開面２７より突出して外部突起３１を構成するので、液体の液位上昇効果が早期から発揮され、液排出口２３から上方への液体引き上げ効果が増大する。
【実施例】
【００７３】
次に、上記した実施の形態の構成を有する実施例１，２と、当該構成を備えない比較例１，２とによる血液分析用器具を作成し、血液を血液排出口側上部まで吸い上げた状況を比較した結果を説明する。
図１０は比較例の血液分析用器具を要部拡大図と共に表した斜視図である。
＜実施例１＞
図４に示す同一構成のハウジングを、アクリル製樹脂によって下記の諸寸法で得た。
血液吸入口の内径  φ０．５ｍｍ
血液排出口の内径  φ０．５ｍｍ
梁部の形状  厚み、幅及び厚みともに０．２ｍｍ
内部突起の高さ  ０．１ｍｍ
外部突起の高さ  ０．１ｍｍ
内部突起の外径  φ０．２ｍｍ  
外部突起の外径  φ０．２ｍｍ
外部突起の配置  液排出口と接触する
外部突起の形状、数  半球円、５つ
内部突起の形状、数  半球円、１つ
【００７４】
上記の血液分析用器具を界面活性剤溶液で親水化処理し、血液の導入テストを実施した。人工皮膚（日本ライトサービス）上に血液を３μＬ滴下し、その血液を上記血液分析用器具に吸引させ、血液がハウジングの液排出口側上部まで吸い上げられ、溢れている様子を低倍率光学顕微鏡で確認した。その結果、血液が液排出口側上部まで吸い上げられ、溢れていたのは１０個中１０個であった。
【００７５】
＜比較例1＞
実施例１のハウジングの液排出口に設けられる梁部、内部突起、外部突起を形成しない構造である下記諸寸法のハウジング６１をアクリル樹脂で成形した。液排出口２３の周囲には、液展開面２７から突出する扁平桁部６３を、直交する直交方向で一対突設した。それぞれの隣接する桁部６３同士は、所定寸法Ｇだけ離間した。
液吸入口の内径  φ０．５ｍｍ
液排出口の内径  φ０．５ｍｍ
桁部の高さ        ０．１ｍｍ
【００７６】
実施例１と同手法で親水化処理し、同様な試験を行った結果、血液が液排出口側上部まで吸い上げられ、溢れていたのは１０個中０個であった。
以上の結果より、液排出口に設けられる梁部、内部突起、外部突起が、血液を液排出口側上部まで吸い上げることに対し、重要な役割を果たしていることを確認できた。
【００７７】
＜実施例２＞
血中のグルコースを検出するための試薬を含有するポリスルホン製の試薬膜（血液吸収材料シート５０）を円形平膜状に加工して、実施例１のアクリル製樹脂で成形、親水化処理したハウジングにセットし、同じアクリル製の固定用ワッシャーで血液吸収材料シートを固定し、下記仕様の血液分析用器具を得た。
【００７８】
液吸入口の内径  φ０．５ｍｍ
液排出口の内径  φ０．５ｍｍ
梁部の深さ       ０．２ｍｍ
外部突起の高さ    ０．１ｍｍ
内部突起の高さ    ０．１ｍｍ
外部突起の外径  φ０．２ｍｍ
内部突起の外径  φ０．２ｍｍ
外部突起の配置  液排出口縁部と接触する
外部突起の形状、数  半球円、５つ
内部突起の形状、数  半球円、１つ
血液吸収材料シートとハウジング液展開面の隙間  ０.１ｍｍ
血液吸収材料シートの厚さ  ０.１３ｍｍ
【００７９】
上記の血液分析用器具に、人工皮膚（日本ライトサービス）上に血液を３μＬ滴下し、その血液を上記血液分析用器具に吸引させ、血液吸収材料シートの血液の導入と展開を確認した。その結果、血液の展開が迅速（約３秒）に完了し、且つその展開が均一に行われたものは１０個中１０個であった。
【００８０】
＜比較例２＞
血中のグルコースを検出するための試薬を含有するポリスルホン製の試薬膜（血液吸収材料シート）を円形平膜状に加工し、上記した比較例１のアクリル製樹脂で成形、親水化処理したハウジングにセットし、同じアクリル製の固定用ワッシャーで血液吸収材料シートを固定し、下記仕様の血液分析用器具を得た。
【００８１】
液吸入口の内径  ０.５ｍｍ
液排出口の内径  ０.５ｍｍ
血液吸収材料シートとハウジング液展開面の隙間  ０.１ｍｍ
血液吸収材料シートの厚さ  ０.１３ｍｍ
【００８２】
上記の血液分析用器具に、人工皮膚（日本ライトサービス）上に血液を３μＬ滴下し、その血液を上記血液分析用器具に吸引させ、血液吸収材料シートの血液の導入と展開を確認した。その結果、血液の展開が行われたものは１０個中０個であった。
【００８３】
以上述べたように、実施例の血液分析用器具は、製造のコストアップが予想される血液吸収材料シートの表面加工無しで、血液吸収材料シートへの血液の導入及び展開を迅速に実施することができ、正確な測定が可能になることが知見できた。
【図面の簡単な説明】
【００８４】
【図１】本発明に係る血液分析用器具のハウジングの斜視図である。
【図２】図１に示すハウジングにおける液展開面の拡大平面視を（ａ）、そのＡ−Ａ断面視を（ｂ）に表した要部構成図である。
【図３】液展開面を含む図１に示すハウジングの平面図である。
【図４】図３のＢ−Ｂ矢視を（ａ）、Ｃ−Ｃ矢視を（ｂ）に表した断面図である。
【図５】血液分析用器具の分解斜視図である。
【図６】図５に示した血液分析用器具の組立断面図である。
【図７】吸い上げられた血液が展開されるまでの過程を（ａ）〜（ｅ）に表した作用説明図である。
【図８】片持梁に内部突起が支持される第２の実施の形態における液展開面の拡大斜視を（ａ）、そのＤ−Ｄ矢視を（ｂ）に表した要部構成図である。
【図９】梁部が細管の内壁面に突設される第３の実施の形態における液展開面の拡大斜視を（ａ）、そのＥ−Ｅ矢視を（ｂ）に表した要部構成図である。
【図１０】比較例の血液分析用器具を要部拡大図と共に表した斜視図である。
【符号の説明】
【００８５】
２１  液吸入口
２３  液排出口
２３ａ  液排出口縁部
２５  細管
２７  液展開面
２９  内部突起
３１  外部突起
３３  梁部
３３Ｂ  片持梁
４５  血液（液）
４９  細管の内壁面
５０  血液吸収材料シート
５１  支柱
１００  液体分析用器具
２００  血液分析用器具
【図１】
2008128832.tif 000003
【図２】
2008128832.tif 000004
【図３】
2008128832.tif 000005
【図４】
2008128832.tif 000006
【図５】
2008128832.tif 000007
【図６】
2008128832.tif 000008
【図７】
2008128832.tif 000009
【図８】
2008128832.tif 000010
【図９】
2008128832.tif 000011
【図１０】
2008128832.tif 000012